(57)【要約】      （修正有）【課題】鋏型作業工具において、切断操作時や挟持操作時にストッパーとして作用する箇所の衝突の衝撃が手に直接響くのを防止して、使い易い工具を提供する。【解決手段】作用部３ａ，３ｂを全閉した際に枢結軸を中心とした回動が停止するために衝突する部位、例えば柄部の対向面に設けた突部４ａ，４ｂや、枢結箇所の近傍の部材重合箇所において部材衝突箇所となる部位に、適宜なクッション機能及び反発機能を備えるように弾性部をもうけるもので、前記弾性部が、軟質樹脂で形成した初期当接弾性部５１ａ，５１ｂと、初期当接弾性部による衝突時衝撃力緩和後に当接する前記軟質樹脂より硬質の樹脂で形成した後期当接弾性部５２ａ，５２ｂとで構成されている。【選択図】図１
0003123343.tif 000002
【実用新案登録請求の範囲】
【請求項１】
二部材を交差させ交差部を枢結して一方を柄部とし、他方を切断刃体や挟持体の作用部としている鋏型作業工具であって、作用部を全閉した際に枢結軸を中心とした回動が停止するために衝突する箇所に、適宜なクッション機能及び反発機能を有する弾性部を備えると共に、前記弾性部が、軟質樹脂で形成した初期当接弾性部と、初期当接弾性部による衝突時衝撃力緩和後に当接する前記軟質樹脂より硬質の樹脂で形成した後期当接弾性部とで構成されていることを特徴とする鋏型作業工具。
【請求項２】
柄部の対向面に突部を設けると共に、当該突部に弾性部を設けてなる請求項１記載の鋏型作業工具。
【請求項３】
後期当接弾性部で囲繞した内部に、初期当接弾性部を突出して設けてなる請求項２記載の鋏型作業工具。
【考案の詳細な説明】
【技術分野】
【０００１】
本考案は、刈込鋏や剪定鋏のように長柄タイプの鋏型作業工具に関するものである。
【背景技術】
【０００２】
鋏型作業工具は、二部材を交差させ、交差部を枢結し、一方を柄部とし、他方を切断刃体や挟持体の作用部としているものである。
【０００３】
前記のような作業工具においては、特許文献１（実公平１−２５５５６号公報）の第１図に示すように柄部を閉じた際に柄部を握持している左右の手が互いにぶつからない様にストッパーを設けていたり、作用部を閉じた際に枢結箇所の近傍の重合箇所における表裏部材の顎部が当接（衝突）してストッパー作用をなし、柄部が所定の間隔を維持するようにしている。
【０００４】
また切断作用部を備えている作業工具においては、連続切断に便利なように、開放方向に付勢する発条を備えているものがある。発条としては、渦巻きバネ（特許文献２：実開昭５８−１５８６６６号公報）、板バネ（特許文献３：実公昭６０−１２４８３号公報）、コイルバネ（特許文献４：実開昭６０−７２１４９号公報）等が採用されている。
【０００５】
然し前記した特許文献１のように長柄を備え、両手で操作する作業工具には、切断操作時や挟持操作時に、左右の柄部が所定の間隔を有するようにストッパー作用を発揮する構造を採用する必要があるが、切断操作時や挟持操作時にストッパー作用箇所の衝突の衝撃が手に直接響く。特に連続切断操作に際しては、衝撃が連続してしまうし、ストッパー部位が衝突しないように操作することによって手への衝撃を少なくできるが、切断効率が悪く、必ずしも使い易い工具とはいえない。
【０００６】
また開放方向に付勢する発条を備えている作業工具においては、切断操作後の開放方向移動が発条の付勢力によって開放方向への操作は容易であるが、切断方向の操作においては、当該発条を圧縮する余分な力を必要とするものであり、長柄を備えた鋏型作業工具においては、柄部間への発条の介設は、必ずしも操作性を向上させるとは認められない。
【０００７】
そこで本願出願人は、作用部を全閉した際に枢結軸を中心とした回動が停止するために衝突する部位、例えば柄部の対向面に設けた突部や、枢結箇所の近傍の部材重合箇所において部材衝突箇所となる部位に、適宜なクッション機能及び反発機能を備えた弾性部を設けた工具を提案した（特許文献５）。
【０００８】
【特許文献１】実公平１−２５５５６号公報第１図。
【特許文献２】実開昭５８−１５８６６６号公報。
【特許文献３】実公昭６０−１２４８３号公報。
【特許文献４】実開昭６０−７２１４９号公報。
【特許文献５】登録実用新案３１１３２２４号公報。
【考案の開示】
【考案が解決しようとする課題】
【０００９】
衝突箇所にクッション機能と反発機能を備えさせることで、柄部を握持しての作用部の開閉操作を行なって衝突部位で衝突した際に、弾性部で衝突の衝撃を吸収する。同時に弾性部の反発力は、開放方向への付勢力となり、開閉操作性が向上するものである。特に前記の弾性部にコイルバネを樹脂被覆したものを採用した場合に、操作性の向上がより効果的に実現する。然し製造上の煩雑さがある。
【００１０】
そこで本考案は、より製造が容易で、且つ工具の開閉操作性を向上させる衝突弾性部を備えた鋏型作業工具を提案したものである。
【課題を解決するための手段】
【００１１】
本考案に係る鋏型作業工具は、二部材を交差させ交差部を枢結して一方を柄部とし、他方を切断刃体や挟持体の作用部としている鋏型作業工具であって、作用部を全閉した際に枢結軸を中心とした回動が停止するために衝突する箇所に、適宜なクッション機能及び反発機能を有する弾性部を備えると共に、前記弾性部が、軟質樹脂で形成した初期当接弾性部と、初期当接弾性部による衝突時衝撃力緩和後に当接する前記軟質樹脂より硬質の樹脂で形成した後期当接弾性部とで構成されていることを特徴とするものである。
【００１２】
而して柄部を握持して柄部開閉操作で作用部に所定の仕事（切断や挟持）を行わせ、柄部を閉じ方向に操作し、衝突部位で衝突した際に、軟質樹脂で形成した初期当接弾性で衝突の衝撃を吸収し、前記の衝突の後に、初期当接弾性部の軟質樹脂より硬質の樹脂で形成した後期当接弾性部に衝突して、衝突衝撃力を二段階で受け止め、柄部開放方向操作時には、初期当接弾性部の反発力で開放方向操作がスムーズになされる。
【考案の効果】
【００１３】
本考案は上記構成を採用しているものであるから、柄部を握持しての開閉操作において、手に衝撃を受けることなく、且つ弾性部の反発力によって連続操作がリズミカルに操作することができ、しかも前記機能を発揮する弾性部の製造が容易である。
【考案を実施するための最良の形態】
【００１４】
次に本考案の実施形態について説明する、実施形態に示した作業工具は刈込鋏を例としたものである。
【００１５】
実施形態の刈込鋏は基本的に従前のものと同様に、二部材を交差させ交差部を枢結（枢結軸１）して一方を長柄部（柄部）２ａ，２ｂとし、他方を切断刃体（作用部）３ａ，３ｂとし、長柄部２ａ，２ｂの開閉操作で、切断刃体３ａ，３ｂによる枝の刈り込みを行うようにしているものである。
【００１６】
特に本考案は、柄部の対向面に突部４ａ，４ｂを設けると共に、前記突部４ａ，４ｂに切断刃体（作用部）３ａ，３ｂを全閉した際に衝突する弾性部５ａ，５ｂを設けたものである。
【００１７】
弾性部５ａ，５ｂは、衝突時の衝撃を充分に吸収できるクッション機能と、全閉位置での変形からの充分な復帰力を備える反発機能を備えるように設けたもので、特に初期当接弾性部５１ａ，５１ｂと後期当接弾性部５２ａ，５２ｂで構成される。
初期当接弾性部５１ａ，５１ｂは、軟質樹脂で形成したもので、後期当接弾性部５２ａ，５２ｂは、前記の初期当接弾性部５１ａ，５１ｂを形成する軟質樹脂より硬質の樹脂で形成したもので、筒状に形成した後期当接弾性部５２ａ，５２ｂで囲繞した内部に、初期当接弾性部５１ａ，５１ｂを内側に突出して設けたものである。
【００１８】
而して前記実施形態の作業工具（刈込鋏）は、長柄部２ａ，２ｂを左右の手で握持して、開閉操作を行うことで所定の枝切断を行うもので、連続操作に際しては、長柄部２ａ，２ｂの全閉時において、最初に初期当接弾性部５１ａ，５１ｂの衝突によって、手に衝撃力を受けることがなく、更に初期当接弾性部５１ａ，５１ｂが、後期当接弾性部５２ａ，５２ｂ内に埋没すると、やや硬質の後期当接弾性部５２ａ，５２ｂに柔らかく衝突して全閉状態となる。
【００１９】
更に長柄部２ａ，２ｂを開放方向に操作すると、後期当接弾性部５２ａ，５２ｂ内に埋没した初期当接弾性部５１ａ，５１ｂの突出力（弾性反発力）によって、開放方向に付勢されることになり、開閉連続操作がリズミカルにでき、且つ手に受ける衝撃を小さくし、操作性を向上させたものである。
【図面の簡単な説明】
【００２０】
【図１】本考案の実施形態の全体の正面図。
【図２】同弾性部の衝突時状態の説明図（衝突初期状態）。
【図３】同弾性部の衝突時状態の説明図（衝突途中の状態）。
【図４】同弾性部の衝突時状態の説明図（衝突終期の状態）。
【符号の説明】
【００２１】
１            枢結軸
２ａ，２ｂ    長柄部（柄部）
３ａ，３ｂ    切断刃体（作用部）
４ａ，４ｂ    突部
５ａ，５ｂ    弾性部
５１ａ，５１ｂ  初期当接弾性部
５２ａ，５２ｂ  後期当接弾性部
【図１】
0003123343.tif 000003
【図２】
0003123343.tif 000004
【図３】
0003123343.tif 000005
【図４】
0003123343.tif 000006